(57)【要約】      （修正有）【課題】あらかじめ分光特性のわかった紫外線受光素子によって測定された実測値から、特定の作用曲線に対する特定の紫外線情報を手軽に常時測定できる方法と装置の提供。【解決手段】紫外線受光素子によって測定された実測値し（ステップ１００）、当該実測値を、紫外線受光素子の分光感度と太陽分光放射スペクトルとから予測される全体領域の予測値、及び特定の作用曲線と前記分光感度と太陽分光放射スペクトルとから予測される特定領域の予測値に基づき補正し、特定の紫外線情報を求める（ステップ１０２）。【選択図】  図４
2004317318.tif 000002
【特許請求の範囲】
【請求項１】
特定の分光感度を持つ紫外線受光素子を用いた紫外線測定方法であって、
前記紫外線受光素子によって測定された実測値を、前記紫外線受光素子の分光感度と太陽分光放射スペクトルとから予測される全体領域の予測値、及び特定の作用曲線と前記分光感度と太陽分光放射スペクトルとから予測される特定領域の予測値に基づき補正し、特定の紫外線情報を求めることを特徴とする紫外線測定法。
【請求項２】
さらに、太陽高度情報に基づき前記特定の紫外線情報を補正することを特徴とする請求項１に記載の紫外線測定法。
【請求項３】
前記太陽高度情報は、緯度情報と日時情報とに基づき求めることを特徴とする請求項２に記載の紫外線測定法。
【請求項４】
前記特定の作用曲線が、紅斑曲線であることを特徴とする請求項１に記載の紫外線測定法。
【請求項５】
特定の分光感度を持つ紫外線受光素子と、
前記紫外線受光素子の分光感度と太陽分光放射スペクトルとから予測される全体領域の予測値、及び特定の作用曲線と前記分光感度と太陽分光放射スペクトルとから予測される特定領域の予測値を記憶した記憶手段と、
前記紫外線受光素子によって測定された実測値を、前記紫外線受光素子の分光感度と太陽分光放射スペクトルとから予測される全体領域の予測値、及び特定の作用曲線と前記分光感度と太陽分光放射スペクトルとから予測される特定領域の予測値に基づき補正して、特定の紫外線情報を求める補正手段と、を有することを特徴とする紫外線測定装置。
【請求項６】
さらに、太陽高度情報を取得するための太陽高度情報取得手段を有することを特徴とする請求項５に記載の紫外線測定装置。
【請求項７】
太陽高度情報として、緯度情報及び日時情報を取得することを特徴とする請求項６に記載の紫外線測定装置。
【請求項８】
前記特定の作用曲線が、紅斑曲線であることを特徴とする請求項５に記載の紫外線測定装置。
【発明の詳細な説明】
【０００１】
【発明の属する技術分野】
本発明は、生活環境に存在する紫外線を容易に測定し、例えば、人体に直接作用する紫外線量などの特定の紫外線情報を取得することが可能な紫外線測定方法、及び紫外線測定装置に関するものである。
【０００２】
【従来の技術】
近年、地球の環境問題の最大の問題の一つとして、オゾン層の破壊による地上での紫外線量が増加していることが挙げられる。このような紫外線は皮膚ガンの発生やＤＮＡの損傷による光過敏症の増大、光老化などの健康に重大な影響を及ぼすほか、しみやそばかすなどの美容上の問題となる肌への影響が大きい。
【０００３】
このため生活環境における紫外線の測定は美容や医療などで必要性が増してきた。
【０００４】
これに対して、紫外線量の測定には専用の紫外線検量装置を必要とし、またこのような専用のＵＶ測定装置を身につけることは面倒であり、このような点からも紫外線を簡単に測定することは従来できなかった。
【０００５】
紫外線の生体に及ぼす影響はいろいろある。このため測定する紫外線が何を意味するのかによって紫外線量としてはいろいろな表示方法がある。紫外線全体量（２９０〜４００ｎｍ）を示す方法、ＵＶＡ領域（３２０〜４００ｎｍ）のみ感度をもつ紫外線センサーを用いて測定する方法、さらにＵＶＢ領域（２９０〜３２０ｎｍ）にのみ感度を有する紫外線センサーを用いる方法などである。
【０００６】
【発明が解決しようとする課題】
しかしながら、これらの紫外線を測定する紫外線センサーは、例えば、皮膚の日焼け症状を発生させる紅斑曲線に合致した特性では無いし、定義波長領域でデルタ関数的に切り出した測定値ではなく、特定の分光感度曲線の中で代表的な波長での感度で校正されているものである。この紅斑曲線から求められた指標はＵＶ指数と呼ばれている。
【０００７】
ＵＶ指数は正午前後の１時間の紫外線に対して紅斑曲線の重みをかけたエネルギー量である。一般にＵＶ指数は太陽紫外線から１０数段階に定量的に区分けされるが、人の感覚に合わせた言葉表現で５段階に区分されている。
【０００８】
ＵＶ指数はＵＶＢ領域の波長毎に重みを付けて求められる。したがって、分光照度から求める以外には正確な値は求められず、大型の測定器によるしかなく手軽に測定できなかった。また、紅斑紫外線に合わせた分光感度の測定器では逆にＵＶＡなどの紫外線が測定できず、しみそばかすなどの美容などに大きな影響を及ぼす窓越しの紫外線に対する注意ができなくなるなどの問題があった。
【０００９】
このように、特定の紫外線情報を簡易に測定できる方法がないのが現状であり、改善が求められている。
【００１０】
従って、本発明は、前記従来における諸問題を解決し、以下の目的を達成することを課題とする。即ち、本発明の目的は、予め分光特性のわかった紫外線受光素子の実測値から、特定の作用曲線に対する特定の紫外線情報を手軽にかつ簡便に常時測定することを可能とし、同時に紫外線全量も測定できる紫外線測定方法、及び紫外線測定装置を提供することである。
【００１１】
【課題を解決するための手段】
上記課題は、以下の手段により解決される。即ち、
本発明の紫外線測定方法は、特定の分光感度を持つ紫外線受光素子を用いた紫外線測定方法であって、
前記紫外線受光素子によって測定された実測値を、前記紫外線受光素子の分光感度と太陽分光放射スペクトルとから予測される全体領域の予測値、及び特定の作用曲線による前記分光感度と太陽分光放射スペクトルとから予測される特定領域の予測値に基づき補正し、特定の紫外線情報を求めることを特徴とする。
【００１２】
本発明の紫外線測定方法では、地上の紫外線の割合が天気に多く影響されないことに基づき、紫外線受光素子によって測定し、例えば、上記実測値を上記全体領域の予測値と特定領域の予測値との比を掛けて補正を行う。このため、簡易に且つ簡易な構成で、天候に関わらず、実測値の中から特定の紫外線情報を取得し、同時に紫外線の全量も取得することができる。
【００１３】
本発明の紫外線測定方法においては、さらに、太陽高度情報に基づき特定の紫外線情報を補正することがよい。また、本発明の紫外線測定方法においては、太陽高度情報は、緯度情報と日時情報とに基づき求めることがよい。
【００１４】
太陽の高度によっては、成層圏を透過した紫外線の波長分布は、オゾン層の透過距離が異なるため、太陽高度情報に基づき特定の紫外線情報を補正することで、任意の太陽高度での紫外線情報を取得することができる。このため、天気に関わらず、場所、日時に応じた、特定の紫外線情報を取得することができる。
【００１５】
本発明の紫外線測定方法においては、作用曲線が紅斑曲線であることがよい。これにより、人体に直接作用する紫外線量を取得することができる。なお、作用曲線としては、紅斑曲線の他に、例えば、ＤＮＡに影響を及ぼす作用曲線など紫外線が影響を及ぼす任意の作用曲線を選択することができる。
【００１６】
一方、本発明の紫外線測定装置は、
特定の分光感度を持つ紫外線受光素子と、
前記紫外線受光素子の分光感度と太陽分光放射スペクトルとから予測される全体領域の予測値、及び特定の作用曲線と前記分光感度と太陽分光放射スペクトルとから予測される特定領域の予測値を記憶した記憶手段と、
前記紫外線受光素子によって測定された実測値を、前記紫外線受光素子の分光感度と太陽分光放射スペクトルとから予測される全体領域の予測値、及び特定の作用曲線と前記分光感度と太陽分光放射スペクトルとから予測される特定領域の予測値に基づき補正して、特定の紫外線情報を求める補正手段と、
を有することを特徴とする。
【００１７】
また、本発明の紫外線測定装置においては、さらに、太陽高度情報を取得するための太陽高度情報取得手段を有することができる。また、太陽高度情報として、緯度情報及び日時情報を取得することができる。また、前記特定の作用曲線を、紅斑曲線とすることができる。
【００１８】
本発明の紫外線測定装置では、上述のように、予め分光特性のわかった紫外線受光素子の実測値から、特定の作用曲線に対する特定の紫外線情報を手軽にかつ簡便に常時測定することを可能とし、同時に紫外線全量も測定できる。
【００１９】
【発明の実施の形態】
以下、本発明を詳細に説明する。
地上に到達する太陽光の紫外線（太陽紫外線）は酸素の吸収のため、２００ｎｍよりも長波長となる。さらに成層圏オゾンによる吸収は３６０ｎｍから３００ｎｍに亘っている。このなかで３２０ｎｍ以下のオゾンの吸収は強く３２０ｎｍ以下の紫外線はＵＶＢと呼ばれ、４００〜３２０ｎｍをＵＶＡと呼ばれる。
【００２０】
太陽紫外線においては、同一の日時であれば天候によらずほぼＵＶＢとＵＢＡの比は一定であるとの報告がある。ＵＶＢ量は上空の成層圏のオゾン層を横切る吸収によって決まる。そのため地上の紫外線は波長範囲が狭いため散乱や反射の波長による違いは無視でき、天気によって多く影響されないと考えられる。
【００２１】
したがって、あらかじめ分光感度特性（例えば２００ｎｍ〜７００ｎｍ      ）の分かっている紫外線素子による実測値（対流圏下）に対して、必要な領域で各波長に対する重み付けをして太陽光スペクトルから求めた紫外線の全体領域の予測値と当該全体領域の予測値の特定領域における特定領域の予測値との比で補正することによって特定領域の紫外線情報を求めることができる。つまり、例えば、特定領域における特定領域の予測値を、紅斑曲線による予測値（紅斑紫外線予測量）とした場合、測定した実測値から紅斑紫外線量を推定し、ＵＶ指数を求めることができる。
【００２２】
なお、ＵＶ指数は、太陽スペクトルに紫外線受光素子の分光特性をかけてもとめた紫外線強度と、当該測定紫外線強度にさらに紅斑曲線を重みとしてかけた紫外線強度と実際の測定値とから求めることができる。
【００２３】
次に、実測値ＵＶ０から特定の紫外線測定値（特定の紫外線情報）ＵＶ（λ）を求める補正についてさらに詳しく説明する。
【００２４】
まず、求める特定の作用曲線を持つ領域の特定の紫外線測定値ＵＶ（λ）は、
ＵＶ（λ）＝ΣＦ（λ）Ｓ（λ）Ｒ（λ）・・・式（１）
で求められる。
ここで、Ｆは重み（たとえば紅斑曲線）、Ｓは紫外受光素子の分光感度、Ｒは太陽の分光放射強度を示す。
【００２５】
このため、紫外線受光素子の分光感度と太陽スペクトルから予測される全体領域の予測値ＵＶ１は、Ｆ（λ）＝１として
ＵＶ１＝ΣＳ（λ）Ｒ（λ）・・・式（２）
で表される。
【００２６】
また、特定の作用曲線と紫外線受光素子の分光感度と太陽分光放射スペクトルとから予測される特定領域の予測値ＵＶＦは、
ＵＶＦ＝ΣＦ（λ）Ｓ（λ）Ｒ（λ）・・・式（３）
で表される。
【００２７】
そして、実測値を、全体領域の予測値ＵＶ１と特定領域の予測値ＵＶＦとの比で補正することで、紫外線測定値ＵＶ（λ）は、
ＵＶ（λ）＝実測値×（ＵＶＦ／ＵＶ１）＝実測値×（ΣＦ（λ）Ｓ（λ）Ｒ（λ）／ΣＳ（λ）Ｒ（λ））・・・式（４）
で求められる。
【００２８】
このため、紅斑曲線と分光感度と太陽分光放射スペクトルとから予測される予測値ＵＶＥ（紅斑紫外線予測値ＵＶＥ）は、
ＵＶＥ＝ΣＥ（λ）Ｓ（λ）Ｒ（λ）・・・式（５）
表され（ここで、Ｅ（λ）は、紅斑曲線による重みを示す。）、
【００２９】
そして、実測値を、全体領域の予測値ＵＶ１と紅斑紫外線予測値ＵＶＥとの比で補正することで、紅斑紫外線量Ｅは、
Ｅ＝実測値×（ＵＶＥ／ＵＶ１）＝実測値×（ΣＥ（λ）Ｓ（λ）Ｒ（λ）／ΣＳ（λ）Ｒ（λ））・・・式（６）
で求められる。
【００３０】
このとき、Ｒ（λ）が夏の分光放射照度に基づくものであればほぼ夏の紅斑紫外線量に対応する。この関係は天気が晴れ以外の曇りや雨でもこの関係は成立する。
【００３１】
次に、特定の紫外線測定値ＵＶ（λ）としての紅斑紫外線量Ｅに対する太陽高度による補正について説明する。
【００３２】
−太陽高度とオゾン層の透過距離−
３２０ｎｍより短波長の紫外線と３２０ｎｍより長波長の紫外線強度の比は成層圏のオゾン層を横切る吸収長つまり、太陽高度つまり月日による南中高度と日周運動による太陽高度から求められる吸収長により求められる。
【００３３】
したがって、オゾン濃度が一定とすれば日時と場所（緯度）がわかれば太陽高度が決定でき、オゾン層の透過距離を推定できる。
【００３４】
例えば、東京の場合、分光放射照度から求めた夏の南中近くでのＵＶＢ／ＵＶと冬のＵＶＢ／ＵＶの比は直達の場合には５．５％と３％である。朝は太陽高度が低いため短波長紫外線が少なくなり、ＵＶＢ／ＵＶ比は夏でも１％程度になる。したがってＵＶ全量から日時を規定すればＵＶＢ量は推定できる。
【００３５】
一方、紅斑紫外線量はＵＶＢよりさらに短波長側となりその比の変化は大きくなる。この紅斑紫外線量は大気の透過距離による減衰を求めることによって推定することができる。太陽からの紫外線が成層圏でのオゾンによる吸収により減衰し、対流圏の大気状態で吸収・散乱・反射などの影響を受ける。雲による散乱の波長依存性は空気分子による散乱（レーリー散乱）と異なり、波長依存性がほとんどない（Ｍｉｅ散乱）。
【００３６】
このときの紫外線全量はおおよそ紫外線全域を測定する紫外線測定素子による実測値ＵＶ０で表すことができる。例えば曇りや雨の日でも、全紫外線強度を求めれば、その中に含まれる３２０ｎｍより短波長の紫外線強度は時間と位置を表す緯度で決まる太陽高度から求めることができる。つまり、太陽高度からオゾン層の透過距離が求めれ、波長での減衰が分かり任意の太陽高度での紅斑紫外線量を求めることができる。
【００３７】
なお、波長による減衰の定数をあらかじめ知っていれば実測値と太陽高度の関係から紅斑紫外線量にかぎらず特定の紫外線量（特定の紫外線情報）を推定することができる。
【００３８】
例えば、図１に示す紅斑曲線に対する紅斑紫外線量は一般的に、ＵＶ指数が１時間の積算であることから、
紅斑紫外線量＝紅斑曲線×太陽紫外線分光照度×３６００秒・・・式（７）
で表される。
【００３９】
従って、任意の太陽高度での紅斑紫外線量
紅斑紫外線量＝太陽高度補正係数×実測値を補正して求められた紅斑紫外線量・・・式（８）
で求められる。ここで、太陽高度補正係数＝定数×紅斑係数（太陽高度）である。
【００４０】
このため、測定者の生活地域（緯度情報）と日時により、太陽紫外線実測値（紫外線全量）から紅斑紫外線量が求められ、ＵＶ指数も求めることができる。なお、日本でのオゾン濃度の変動は年間でプラスマイナス１０％程度ある。
【００４１】
−太陽高度の計算−
太陽高度（天頂角Ｚ）は、
ｃｏｓＺ＝ｃｏｓＤ’ｃｏｓＬ’＋ｓｉｎＤ’ｓｉｎＬ’ｃｏｓＨ・・・式（９）
で求められる。
【００４２】
ここで、Ｌ’は、観測者の余緯度（緯度Ｌの余角）、Ｄ’は極距離角（赤緯Ｄの余角）、Ｈは時角である。
【００４３】
また、極距離角Ｄ’は、
ｃｏｓＤ’＝ｓｉｎ２３．５°ｓｉｎα・・・式（１０）
で求められる。
【００４４】
ここで、α＝対象日の地球−太陽間を結ぶ線とその年の春分点での地球−太陽間を結ぶ線とのなす角であり、α＝ｎ３６０°／３６５．２５（ｎは春分から数えた日数である）である。
【００４５】
また、時角Ｈは、
Ｈ＝±３６０°ｔ／２４時間・・・式（１１）
で求められる。ここで、ｔは南中時からの時間。負は南中前を表す。
【００４６】
なお、これらの情報は、日時は日付と時間の時計機能から入手することができるし、位置情報は限られた生活地域の場合には予め設定された緯度を入力すればよいし、また人工衛星による位置測定装置により随時知ることができる。
【００４７】
−太陽高度補正係数Ｃ（太陽高度に対するオゾン吸収の影響）の計算−
まず、大気透過距離ｘ（θ）は、太陽高度θ（仰角）、地球の半径ｒ０（６４００ｋｍ），オゾン層の上限の高さｒ２，オゾン層の下限の高さｒ１とすると、
ｘ（θ）＝−ｒ０ｓｉｎ（θ）＋√（ｒ０ｓｉｎ（θ））２＋（ｒ２２＋２ｒ２ｒ０）−（−ｒ０ｓｉｎ（θ）＋√（ｒ０ｓｉｎ（θ））２＋（ｒ１２＋２ｒ１ｒ０））・・・式（１２）
で表される。
【００４８】
太陽高度の関数として透過距離は、ｒ１＝２０ｋｍ，ｒ２＝４０ｋｍとすると、例えば、ｘ（８０°）＝２０．３ｋｍ、ｘ（３０°）＝３９．４７ｋｍ、ｘ（１５°）＝  ７２．７５ｋｍ、ｘ（０°）＝２１０．３ｋｍ、となる。
【００４９】
透過距離から吸収による減衰量は一般に、
Ｉ＝Ｉ０ｅｘｐ（−ｋｘ（θ））（ここでｋは吸収係数）・・・式（１３）
となるから、
【００５０】
全ＵＶの散乱吸収係数をｋ（λ）、ＵＶＢ領域のオゾン層での吸収係数をｋ（λｂ）（ＵＶＢのほかの層での吸収係数は全ＵＶと同じとする。）、成層圏への入射強度を全ＵＶ：Ｉ０（θ）、ＵＶｂ：Ｉｂ０（θ）とすると、
【００５１】
Ｉｂ（θ）＝Ｉｂ０ｅｘｐ（−ｋ（λｂ）ｘ（θ））×ｅｘｐ（−ｋ（λ）ｘ（θ））・・・式（１４）
Ｉ（θ）＝Ｉ０ｅｘｐ（−ｋ（λ）ｘ（θ））・・・式（１５）
であり、
【００５２】
太陽高度によるＵＶＢとＵＶの比は、
Ｃ＝Ｉｂ（θ）／Ｉ（θ）＝（Ｉｂ０／Ｉ０）ｅｘｐ（−ｋ（λｂ）ｘ（θ））・・・式（１６）
で表され、
【００５３】
太陽高度に対するオゾン吸収の影響（オゾンによる吸収効果比）、即ち太陽高度補正係数Ｃが求められ、紅斑紫外線量Ｅに対して太陽高度による補正を行うことができる。
【００５４】
ここで（Ｉｂ０／Ｉ０）とｋ（λｂ）は、太陽高度の異なる太陽分光放射照度の測定値を比較することによっても求めることができる。
【００５５】
以下、実測値から紅斑紫外線量Ｅを求め、ＵＶ指数を求める一例を具体的に示と共に、紅斑紫外線量Ｅに対する太陽高度による補正の一例も具体的に示す。
【００５６】
ここで、多結晶窒化ガリウム半導体による紫外線測素子（富士ゼロックス製ＵＶケアメイトに備えられた紫外線測素子）を使用して太陽紫外線を測定して実測値ＵＶ０を求めている。この紫外線測定の分光感度は校正された光源を用いて測定している（図１及び図２参照）。また、夏の太陽スペクトルを浜松ホトニクス社製の分光測定器ＭＰ１１を用いて２９０ｎｍから５００ｎｍまで測定している（図１及び図２参照）。
【００５７】
まず、図１及び図２から、上記式（２）及び式（５）に基づき、紫外線測定装置（素子）の分光感度と太陽スペクトルから予測される予測値ＵＶ１と、紅斑紫外線量の予測値ＵＶＥとの比は、ＵＶＥ／ＵＶ１＝０．００６と求められる。
【００５８】
そして、実測値ＵＶ１に対し、ＵＶＥ／ＵＶ１により補正し、紅斑紫外線強度Ｅを、上記式（１２）に基づき求め、この紅斑紫外線強度Ｅを１時間の紫外線量として換算すると、ＵＶ０が５０００μＷ／ｃｍ２の時には１０８ｍＪ／ｃｍ２であり、この結果ＵＶ指数としては１１であることが求められる。
【００５９】
次に、紅斑紫外線量Ｅに対して、太陽高度情報による補正を行う。ここで、夏と冬のＵＶＢ／ＵＶ比は、紅斑曲線に多く含まれる波長範囲３１０〜３００ｎｍのＵＶＢで、電総研田無市水平データを使用した。ＵＶは３００〜４００ｎｍ全体の照度を用いる。
【００６０】
夏至付近（７５°１９７９  ６．２３）では、
Ｉｂ（７５）＝Ｉｂ０ｅｘｐ（−ｋ（λｂ）ｘ（７５））×ｅｘｐ（−ｋ（λ）ｘ（７５））・・・式（１７）
Ｉ（７５）＝Ｉ０ｅｘｐ（−ｋ（λ）ｘ（７０））・・・式（１８）
Ｉｂ（７５）／Ｉ（７５）＝０．０１３２＝（Ｉｂ０／Ｉ０）ｅｘｐ（−ｋ（λｂ）ｘ（７５））・・・式（１９）
と表される。
【００６１】
冬至付近（３０°１９７９  １２．２２）では、
Ｉｂ（３０）＝Ｉｂ０ｅｘｐ（−ｋ（λｂ）ｘ（３０））×ｅｘｐ（−ｋ（λ）ｘ（３０））・・・式（２０）
Ｉ（３０）＝Ｉ０ｅｘｐ（−ｋ（λ）ｘ（３０））・・・式（２１）
Ｉｂ（３０）／Ｉ（３０）＝０．００４８＝（Ｉｂ０／Ｉ０）ｅｘｐ（−ｋ（λｂ）ｘ（３０））・・・式（２２）
と表される。
【００６２】
次に、７５°の透過距離と３０°の透過距離は
ｌｎ（０．０１３２／０．００４８）＝（−ｋ（λｂ）（ｘ（７５）−ｘ（３０））・・・式（２３）
により求める。
【００６３】
これらから、ＵＶＢ領域のオゾン層での吸収係数ｋ（λｂ）は、
−ｋ（λｂ）＝ｌｎ（０．０１３２／０．００４８）／（ｘ（７５）−ｘ（３０））＝１．０１１６／（−１８．８ｋｍ）＝−０．０５３８／ｋｍ・・・式（２４）
と求められる。
【００６４】
さらに、Ｉｂ０／Ｉ０は、
Ｉｂ０／Ｉ０＝０．０１３２／ｅｘｐ（−ｋ（λｂ）ｘ（７５））＝０．０１３２／ｅｘｐ（−０．０５３８×２０．７）＝０．０４０２・・・式（２５）
と求められる。
【００６５】
これは、成層圏の外では３００〜３１０ｎｍのＵＶＢは、全紫外線に対して４％あることを示している。
【００６６】
この結果、任意の太陽高度θでのＵＶＢとＵＶの比は、
Ｃ＝Ｉｂ（θ）／Ｉ（θ）＝（０．０４０２）ｅｘｐ（−０．０５３８×ｘ（θ））・・・式（２６）
で表される。
【００６７】
次に、オゾン層透過距離ｘ（θ）は、太陽高度θ（仰角）に対して、地球の半径ｒ０を６４００ｋｍ、オゾン層の上限の高さｒ２を４０ｋｍ、オゾン層の下限の高さｒ１を２０ｋｍとすると、上記式（１２）に基づき、南中高度７５°の時点での実測値ＵＶ０から求めたその日の紅斑紫外線量Ｅに対して、例えば、太陽高度３０°では透過距離が４０ｋｍであるため太陽高度補正係数Ｃは０．４９であり、太陽高度５０°では透過距離が２６ｋｍであるため太陽高度補正係数Ｃは０．８となる。
【００６８】
このため、同じ観測日で太陽高度が３０°の時間であれば実測値ＵＶ１×０．００６（ＵＶＥ／ＵＶ１）×０．３６と求まる。例えば、観測値が５０００μＷの時のＵＶ指数は４となる。
【００６９】
以下、本発明の実施の形態を図面を参照してさらに詳細に説明する。なお、実質的に同様の機能を有するものには、全図面通して同じ符号を付して説明し、場合によってはその説明を省略することがある。
【００７０】
図２は、本発明の実施の形態に係る紫外線測定装置の構成を示す概略構成図である。
【００７１】
本実施形態の紫外線測定装置１０は、各種情報を表示するための液晶ディスプレイ１６（表示手段）と、紫外線の物理量として紫外線情報を検知する紫外線受光素子１８と、当該紫外線測定装置１０のユーザからの各種情報を入力するための操作パネル２０（操作手段：例えば、電源スイッチ、モード切換スイッチ、設定スイッチなど）と、当該紫外線測定装置１０によって測定された紫外線強度を示す紫外線情報の出力及び図示しない情報端末装置からの各種情報の入力を可能とするデータ入出力端子２２と、を含んで構成されている。
【００７２】
紫外線受光素子１８としては、可視域に感度があるＧａＰやＳｉなどのフォトダイオードなどをフィルターで可視部をカットした紫外線受光素子を用いることができるし、酸化チタンや酸化亜鉛などの酸化物半導体で構成される紫外線受光素子を用いることもできる。紫外線受光素子１８としては、光応答が速く、吸収域を組成によって調整でき、表示部に余分なスペースを必要としない小型で薄型などの点や色などのデザイン性に優れた窒化物系化合物半導体で構成された紫外線受光素子が特に望ましい。
【００７３】
ただし、本実施形態では、太陽紫外線では散乱の寄与が大きいため、紫外線受光素子１８は入射角特性が余弦則に合ったものが望ましい。これは、散乱係数はレーリーの法則で表されるために、散乱係数＝定数／（波長）４で表され、快晴時に３４０ｎｍと３００ｎｍでは後者で１．７倍となり、５００ｎｍと比べると紫外線は５倍から８倍の散乱係数を持ち散乱の影響が大きくなるからである。
【００７４】
液晶ディスプレイ１６には、セイコーエプソン株式会社の表示モジュールであるＳＥＫ１０５４Ｂを適用している。この表示モジュールは、ドットマトリクス型の液晶表示モジュールであり、９６ドット×３２ドットの表示面に任意の情報を表示することができ、文字やグラフ等の表示が可能であるり、例えば、測定後その場で簡単なグラフを表示することができ、図示しない外部入出力装置にデータを出力することなく直感的に照度分布等を確認することができる。表示手段には、これに限らず、他の液晶ディスプレイ、有機ＥＬディスプレイ、プラズマディスプレイ、ＣＲＴディスプレイ等のあらゆるディスプレイを適用することができる。
【００７５】
一方、紫外線測定装置１０には、内部回路３２が備えられている。内部回路３２は、紫外線測定装置１０全体の動作を司るＣＰＵ３４（中央演算処理装置：補正手段）、各種情報を記憶するためのメモリ３８（記憶手段）、入力されたアナログ信号をデジタルデータに変換して出力するアナログ／デジタル変換器４０（以下、「Ａ／Ｄ変換器」という）、入力されたアナログ信号を増幅する増幅回路４２、内部回路３２の各部に駆動用電力を供給する充電式電池４４、及び充電式電池４４を充電するときその電圧などを制御するための電源制御回路４６を含んで構成されている。なお、同図では錯綜を回避するために、充電式電池４４から各部への電力供給路を示す接続線は図示を省略している。
【００７６】
内部回路３２には、太陽高度取得手段として、位置情報を取得するＧＰＳ（Ｇｌｏｂａｌ  Ｐｏｓｉｔｉｏｎｉｎｇ  Ｓｙｓｔｅｍ）受信器２４と、日付及び時刻を計時するカレンダ／時計３６と、を含んで構成されている。
【００７７】
ＣＰＵ３４には、ＧＰＳ受信器２４が接続されている。ＧＰＳ受信器２４は、地球上を周回する複数の衛星（一般に４つの衛星）からの電波を受信する不図示のアンテナが内蔵されると共に当該アンテナによって受信し、電波が到達するまでの時間を求め、それから各衛星までの距離を演算することで位置情報（本実施の形態では、緯度の１次元の情報）を取得するものである。このため、ＣＰＵ３４は位置情報を随時知ることができる。
【００７８】
ＣＰＵ３４には日付及び時刻を計時するカレンダ／時計３６が接続されている。ＣＰＵ３４はカレンダ／時計３６によって計時されている日時情報（月、日、時間）を随時知ることができる。なお、カレンダ／時計３６をＣＰＵ３４に内蔵しておき、ソフトウェアで同様の動作を実現してもよい。
【００７９】
また、ＣＰＵ３４にはメモリ３８が接続されており、ＣＰＵ３４はメモリ３８に対する各種情報の書込み及び読出しを行うことができる。更に、ＣＰＵ３４には液晶ディスプレイ１６が接続されており、ＣＰＵ３４は液晶ディスプレイ１６に対して各種情報を表示することができる。また、ＣＰＵ３４には操作パネル２０の各スイッチが接続されており、ＣＰＵ３４は各スイッチのユーザによる押下状態を随時検知することができる。
【００８０】
一方、紫外線受光素子１８のセンサ出力端子は増幅回路４２を介してＡ／Ｄ変換器４０の入力端に接続され、Ａ／Ｄ変換器４０の出力端はＣＰＵ３４に接続されている。
【００８１】
また、ＣＰＵ３４にはデータ入出力端子２２が接続されており、ＣＰＵ３４はデータ入出力端子２２を介して各種情報の入出力を行うことができる。なお、データ入出力端子２２はＣＰＵ３４への接続以外に、メモリ３８にも直接接続されており、紫外線測定装置１０はデータ入出力端子２２を介して、外部からメモリ３８に直接各種情報を書込むことができると共に、メモリ３８から外部へ直接各種情報を読み出すことができるように構成されている。また、データ入出力端子２２は、充電式電池４４にも電源制御回路４６を介して接続されており、紫外線測定装置１０は電源制御回路４６で電圧などを制御し、データ入出力端子２２を介して充電式電池４４への充電も行なわれる。
【００８２】
紫外線測定装置１０では、ＣＰＵ３４が常時安定して駆動する必要があり、本実施の形態のように充電式電池４４によって駆動させるためには、ＣＰＵ３４として低消費電力でかつ十分な処理能力が得られるものを適用する必要がある。そこで、この必要性に対応すべく、本実施の形態では、ＣＰＵ３４として日立セミコンダクター社製の「Ｈ８／３８２７Ｒ」を適用している。この「Ｈ８／３８２７Ｒ」は、演算用のプログラム、一次記憶用の揮発性メモリーの他、アナログ／ディジタル変換回路（図中、Ａ／Ｄ変換器４０に相当）が内蔵されており、これによって部品点数を削減することができ、装置の低コスト化及び小型化の双方を図ることができる。
【００８３】
また、メモリ３８には、例えば、米国ｍｉｃｒｏｃｈｉｐ  ｔｅｃｈｎｏｌｏｇｙ社の記憶素子である２４ＬＣ２５６を適用することができる。この記憶素子は、小型であるにもかかわらず大容量であるので、紫外線測定装置１０を小型化することができる。
【００８４】
ここで、紫外線測定装置１０におけるメモリ３８の記憶内容について説明する。
【００８５】
メモリ３８には、測定データ（紫外線強度）に関する各種情報を記憶するための部分であるヘッダ部と、実際の測定データを記憶するための部分である測定データ部と、演算用のプログラムを記憶するための部分であるプログラムデータ部と、各種設定値を記憶するための部分である設定値部と、が設けられている。これらプログラムデータ部及び設定値部には、上述した、紅斑紫外線量やＵＶ指数を求める実測値の補正、及び紅斑紫外線量に対する太陽高度情報による補正を行なうための、上記数式（例えば、式（６）、式（８）、式（２６）等）に基づく各種演算用プログラム、及び各種設定値（例えば、全体領域の予測値ＵＶ１、紅斑紫外線領域の予測値ＵＶＥ）が記憶されている。
【００８６】
なお、本実施の形態では、測定データの外部への漏洩を防止するために測定データに対して所定の暗号化方式にて暗号化を施した後に測定データ部３８Ｃに記憶している。上記ヘッダ部３８Ａには、このときの暗号化方式を示す情報等が記憶される。なお、暗号化方式は、特に限定されることはなく、種々の技術を適宜選択することができる。
【００８７】
次に、図４を参照して、紫外線測定装置１０の紫外線の測定時における作用を説明する。なお、図４は、ＣＰＵ３４で実行される紫外線測定処理の流れを示すフローチャートである。
【００８８】
図４のステップ１００では、紫外線受光素子１８により紫外線測定を行ない、紫外線量の実測値（ＵＶ測定値）を取得し、取得した情報（実測値）をメモリ３８の測定データ部の未記憶領域に記憶する。そして、ステップ１０２に移行する。
【００８９】
ステップ１０２では、メモリ３８から、ステップ１００で取得した情報（実測値ＵＶ０）、予め記憶された紫外線受光素子１８の分光感度と太陽スペクトルから予測される全体領域の予測値ＵＶ１と、予め記憶された紅斑曲線と紫外線受光素子１８の分光感度と太陽スペクトルから予測される予測値ＵＶＥ、を読み出し、上記式（６）に基づき、紅斑紫外線量Ｅ（及びＵＶ指数）を求め、取得した情報をメモリ３８の測定データ部の未記憶領域に記憶する。
【００９０】
そして、ステップ１０４に移行する。ステップ１０４では、ＧＰＳ受信器２４から位置情報（緯度情報）取得し、カレンダ／時計３６から日時情報（月、日、時間）を取得し、さらにメモリ３８からステップ１０２で取得した情報（紅斑紫外線量Ｅ）、上述した任意の太陽高度での紅斑紫外線量を求めるための各種設定値を読み出し、式（２６）に基づき太陽高度補正係数を算出し、式（８）に基づき紅斑紫外線量Ｅを太陽高度補正係数で補正し、任意の太陽高度での紅斑紫外線量（及びＵＶ指数）を求め、取得した情報をメモリ３８の測定データ部の未記憶領域に記憶する。そして、処理を終了する。
【００９１】
なお、メモリ３６に記憶された情報や、取得した情報は、液晶パネルディスプレイ１６に表示することができる。
【００９２】
本実施形態の紫外線測定装置１０は、携帯機器（例えば、時計、携帯電話、携帯電子メール器、携帯ナビケーター、携帯コンピュータ）と一体的に設けたれた形態とすることもできる。
【００９３】
この場合、紫外線受光素子１８に対しては、電極間に流れる光起電流として取り出すこともできるし、電圧を印加することによって光電流を取出すこともできるが、携帯機器の電力を消費しない観点から、紫外線受光素子１８は光起電流型が好ましい。
【００９４】
また、本実施形態の紫外線測定装置１０では、紫外線受光素子１８を携帯機器の表示素子の上に設けられている窓材の裏側に貼りつけるように設置してもよいし、窓材と表示素子面の間に設けてもよい。また、紫外線受光素子１８を表示素子面に貼りつけてもよく、また、独自の入射窓を用意した場所に設置してもよい。
【００９５】
本実施形態の紫外線測定装置１０では、ＧＰＳ受信器２４により位置情報を取得していたが、これに限定されず、予め、任意の位置情報をメモリ３８に記憶させておき、ユーザの指定により所望の位置情報を読み出す形態としてもよいし、ＰＨＳ（Ｐｅｒｓｏｎａｌ  Ｈａｎｄｙ−ｐｈｏｎｅ  Ｓｙｓｔｅｍ）を利用して位置情報を取得する形態でもよい。
【００９６】
なお、上記実施形態は、限定的に解釈されるものではなく、本発明の要件を満足する範囲内で実現可能であることは、言うまでもない。
【００９７】
【発明の効果】
予め分光特性のわかった紫外線受光素子の実測値から、特定の作用曲線に対する特定の紫外線情報を手軽にかつ簡便に常時測定することを可能とし、同時に紫外線全量も測定できる紫外線測定方法、及び紫外線測定装置を提供することができる。
【図面の簡単な説明】
【図１】本発明の実施の形態に係る、紫外線受光素子の実測値、分光感度、太陽スペクトル、及び紅斑曲線を示す関係図である。
【図２】本発明の実施の形態に係る、紫外線波長と相対影響度との関係を示す関係図である。
【図３】本発明の実施の形態に係る紫外線測定装置の構成を示す概略構成図である。
【図４】本発明の実施の形態に係る紫外線測定装置の紫外線測定処理の流れを示すフローチャートである。
【符号の説明】
１０  紫外線測定装置
１６  液晶ディスプレイ
１８  紫外線受光素子
２０  操作パネル
２２  データ入出力端子
２４ＧＰＳ受信器（太陽高度情報取得手段）
３２  内部回路
３６  カレンダー／時計（太陽高度情報取得手段）
３８  メモリ（記憶手段）
【図１】
2004317318.tif 000003
【図２】
2004317318.tif 000004
【図３】
2004317318.tif 000005
【図４】
2004317318.tif 000006